(57)【要約】【課題】携帯用情報機器に入力機器が接続されることを許容しながら該携帯用情報機器を起立姿勢に保持すること。【解決手段】タブレット型ＰＣ１を起立姿勢に保持可能なスタンド装置１０であって、タブレット型ＰＣ１の筐体の背面１ａに装着可能な第１シート体２０と、一端部となる取付部３２が第１シート体２０に取り付けられるとともに他端部となる係止部３３が係止手段を介して第１シート体２０に着脱可能に係止され、かつ折曲部３５で折り曲げられた屈曲状態となる場合にタブレット型ＰＣ１を起立姿勢にさせる第２シート体３０とを備え、係止手段は、第１シート体２０に形成された第１凹凸部２１の第１凸部２１ａが係止部３３に形成された第２凹凸部３１の第２凹部３１ｂの空間に相対的に進入し、かつ第２凹凸部３１の第２凸部３１ａが第１凹凸部２１の第１凹部２１ｂの空間に相対的に進入することにより係止させるものである。【選択図】図２
2018028601.tif 000002
【特許請求の範囲】
【請求項１】
携帯用情報機器を起立姿勢に保持可能なスタンド装置であって、
前記携帯用情報機器の筐体の背面に装着可能な第１シート体と、
一端部となる取付部が前記第１シート体に取り付けられるとともに他端部となる係止部が係止手段を介して前記第１シート体に着脱可能に係止され、かつ自身の折曲部で折り曲げられた屈曲状態となる場合に前記携帯用情報機器を起立姿勢にさせる第２シート体と
を備え、
前記係止手段は、前記第１シート体に形成された第１凹凸部の凸部が前記係止部に形成された第２凹凸部の凹部の空間に相対的に進入し、かつ第２凹凸部の凸部が前記第１凹凸部の凹部の空間に相対的に進入することにより係止させることを特徴とするスタンド装置。
【請求項２】
携帯用情報機器を起立姿勢に保持可能なスタンド装置であって、
前記携帯用情報機器の筐体の背面に装着可能な第１シート体と、
一端部となる取付部が前記携帯用情報機器に接続された入力機器の背面に取り付けられるとともに他端部となる係止部が係止手段を介して前記第１シート体に着脱可能に係止され、かつ自身の折曲部で折り曲げられた屈曲状態となる場合に前記携帯用情報機器を起立姿勢にさせることが可能な第２シート体と
を備え、
前記係止手段は、前記第１シート体に形成された第１凹凸部の凸部が前記係止部に形成された第２凹凸部の凹部の空間に相対的に進入し、かつ第２凹凸部の凸部が前記第１凹凸部の凹部の空間に相対的に進入することにより係止させることを特徴とするスタンド装置。
【請求項３】
前記第１凹凸部は、前記凸部と前記凹部とが前記第１シート体の幅方向の全域に亘って延在し、かつ前記凸部と前記凹部とが前記幅方向に直交する方向に沿って互いに隣接する態様で交互に形成されて構成されたことを特徴とする請求項１又は請求項２に記載のスタンド装置。
【請求項４】
前記第１シート体は、前記携帯用情報機器の筐体の背面の略全域を覆う態様で装着されることを特徴とする請求項３に記載のスタンド装置。
【請求項５】
前記第２凹凸部は、前記凸部と前記凹部とが前記第２シート体の幅方向の全域に亘って延在し、かつ前記凸部と前記凹部とが前記幅方向に直交する方向に沿って互いに隣接する態様で交互に形成されて構成されたことを特徴とする請求項１又は請求項２に記載のスタンド装置。
【請求項６】
前記携帯用情報機器と、請求項１〜５のいずれか１つに記載のスタンド装置とを備えたことを特徴とする電子機器。
【発明の詳細な説明】
【技術分野】
【０００１】
本発明は、携帯用情報機器を起立姿勢に保持可能なスタンド装置、並びにこのスタンド装置と携帯用情報機器とを備える電子機器に関するものである。
【背景技術】
【０００２】
近年、タッチパネル式の液晶ディスプレイを有し、物理的なキーボードを有しないタブレット型のパーソナルコンピュータ（以下、タブレット型ＰＣともいう）が急速に普及している。タブレット型ＰＣは、通常、手に把持された状態で操作される場合と、机上等に置かれた状態で操作される場合とがあり、机上等に置かれた状態で操作される場合には、スタンドにより起立姿勢に保持されて使用されることもある。
【０００３】
このようなタブレット型ＰＣは、筐体を保護するために筐体をタブレットカバーで覆うことがある。例えば、特許文献１には、タブレット型ＰＣの筐体の側面及び背面を覆うカバー本体と、このカバー本体の背面側に設けられたスタンドとを備えたタブレットカバー（スタンド装置）が開示されている。
【先行技術文献】
【特許文献】
【０００４】
【特許文献１】特開２０１４−６７３３２号公報
【発明の概要】
【発明が解決しようとする課題】
【０００５】
ところで、タブレット型ＰＣにおいては、筐体の側面に外部入力端子等が設けられているのが一般的である。
【０００６】
しかしながら、上記特許文献１に開示されているタブレットカバーでは、タブレット型ＰＣの筐体の背面だけでなく側面も覆うようにしているので、該側面に設けられた外部入力端子等もタブレットカバーにより覆われてしまうことになる。
【０００７】
その結果、タブレット型ＰＣに対して文字等の入力を容易にさせるキーボード等の入力機器を接続することが困難になってしまう。
【０００８】
本発明は、上記実情に鑑みて、携帯用情報機器に入力機器が接続されることを許容しながら該携帯用情報機器を起立姿勢に保持することができるスタンド装置及び電子機器を提供することを目的とする。
【課題を解決するための手段】
【０００９】
上記目的を達成するために、本発明に係るスタンド装置は、携帯用情報機器を起立姿勢に保持可能なスタンド装置であって、前記携帯用情報機器の筐体の背面に装着可能な第１シート体と、一端部となる取付部が前記第１シート体に取り付けられるとともに他端部となる係止部が係止手段を介して前記第１シート体に着脱可能に係止され、かつ自身の折曲部で折り曲げられた屈曲状態となる場合に前記携帯用情報機器を起立姿勢にさせる第２シート体とを備え、前記係止手段は、前記第１シート体に形成された第１凹凸部の凸部が前記係止部に形成された第２凹凸部の凹部の空間に相対的に進入し、かつ第２凹凸部の凸部が前記第１凹凸部の凹部の空間に相対的に進入することにより係止させることを特徴とする。
【００１０】
本発明に係るスタンド装置は、携帯用情報機器を起立姿勢に保持可能なスタンド装置であって、前記携帯用情報機器の筐体の背面に装着可能な第１シート体と、一端部となる取付部が前記携帯用情報機器に接続された入力機器の背面に取り付けられるとともに他端部となる係止部が係止手段を介して前記第１シート体に着脱可能に係止され、かつ自身の折曲部で折り曲げられた屈曲状態となる場合に前記携帯用情報機器を起立姿勢にさせることが可能な第２シート体とを備え、前記係止手段は、前記第１シート体に形成された第１凹凸部の凸部が前記係止部に形成された第２凹凸部の凹部の空間に相対的に進入し、かつ第２凹凸部の凸部が前記第１凹凸部の凹部の空間に相対的に進入することにより係止させることを特徴とする。
【００１１】
また本発明は、上記スタンド装置において、前記第１凹凸部は、前記凸部と前記凹部とが前記第１シート体の幅方向の全域に亘って延在し、かつ前記凸部と前記凹部とが前記幅方向に直交する方向に沿って互いに隣接する態様で交互に形成されて構成されたことを特徴とする。
【００１２】
また本発明は、上記スタンド装置において、前記第１シート体は、前記携帯用情報機器の筐体の背面の略全域を覆う態様で装着されることを特徴とする。
【００１３】
また本発明は、上記スタンド装置において、前記第２凹凸部は、前記凸部と前記凹部とが前記第２シート体の幅方向の全域に亘って延在し、かつ前記凸部と前記凹部とが前記幅方向に直交する方向に沿って互いに隣接する態様で交互に形成されて構成されたことを特徴とする。
【００１４】
本発明に係る電子機器は、前記携帯用情報機器と、上記スタンド装置とを備えたことを特徴とする。
【発明の効果】
【００１５】
本発明によれば、第１シート体が、携帯用情報機器の筐体の背面に装着され、該第１シート体に取付部が取り付けられた第２シート体が、係止部が係止手段を介して第１シート体に着脱可能に係止され、かつ折曲部で折り曲げられた屈曲状態となる場合に該携帯用情報機器を起立姿勢にさせるので、従来のように携帯用情報機器の筐体の側面も覆うことがない。そのため、該側面に設けられる外部入力端子等を覆ってしまうことがなく、携帯用情報機器に対して文字等の入力を容易にさせるキーボード等の入力機器を接続することが可能である。従って、携帯用情報機器に入力機器が接続されることを許容しながら該携帯用情報機器を起立姿勢に保持することができるという効果を奏する。
【００１６】
本発明によれば、第１シート体が、携帯用情報機器の筐体の背面に装着され、該携帯用情報機器に接続された入力機器の背面に取付部が取り付けられた第２シート体が、係止部が係止手段を介して第１シート体に着脱可能に係止され、かつ折曲部で折り曲げられた屈曲状態となる場合に該携帯用情報機器を起立姿勢にさせるので、従来のように携帯用情報機器の筐体の側面も覆うことがない。そのため、該側面に設けられる外部入力端子等を覆ってしまうことがなく、携帯用情報機器に対して入力機器を接続することが可能である。従って、携帯用情報機器に入力機器が接続されることを許容しながら該携帯用情報機器を起立姿勢に保持することができるという効果を奏する。
【図面の簡単な説明】
【００１７】
【図１】図１は、本発明の実施の形態１であるスタンド装置が適用された電子機器、すなわち本発明の実施の形態１である電子機器を示す斜視図である。
【図２】図２は、本発明の実施の形態１であるスタンド装置が適用された電子機器、すなわち本発明の実施の形態１である電子機器を示す斜視図である。
【図３】図３は、図２の要部を拡大して示す拡大説明図である。
【図４】図４は、スタンド装置が携帯用情報機器であるタブレット型パーソナルコンピュータを起立姿勢に保持する状態を示す説明図である。
【図５】図５は、本発明の実施の形態２であるスタンド装置が適用された電子機器、すなわち本発明の実施の形態２である電子機器を模式的に示す説明図である。
【図６】図６は、図５に示したスタンド装置の第２シート体が第１折曲部で折り曲げられた状態を模式的に示す説明図である。
【図７】図７は、図５に示したスタンド装置の第２シート体が屈曲状態となる場合を模式的に示す説明図である。
【発明を実施するための形態】
【００１８】
以下に添付図面を参照して、本発明に係るスタンド装置及び電子機器の好適な実施の形態について詳細に説明する。
【００１９】
＜実施の形態１＞
図１及び図２は、それぞれ本発明の実施の形態１であるスタンド装置が適用された電子機器、すなわち本発明の実施の形態１である電子機器を示す斜視図である。
【００２０】
ここで例示するスタンド装置１０は、タブレット型パーソナルコンピュータ（以下、タブレット型ＰＣともいう）１とともに電子機器１００を構成するものである。
【００２１】
タブレット型ＰＣ１は、タッチパネル式の液晶表示部からなるディスプレイを筐体の表面に備える携帯用情報機器である。このタブレット型ＰＣ１は、筐体の内部に基板、演算装置、メモリ、バッテリ等を収納した構成とされている。
【００２２】
スタンド装置１０は、第１シート体２０及び第２シート体３０を備えて構成されている。第１シート体２０は、例えば樹脂材等により形成された平板状物である。この第１シート体２０は、タブレット型ＰＣ１の筐体の背面１ａの略全域を覆う態様で該背面１ａに装着されている。
【００２３】
かかる第１シート体２０の表面、すなわちタブレット型ＰＣ１の背面１ａを臨む面と反対側の面の全域には、第１凹凸部２１が形成されている。
【００２４】
第１凹凸部２１は、第１凸部２１ａと第１凹部２１ｂとを有しており、これら第１凸部２１ａと第１凹部２１ｂとが第１シート体２０の幅方向の全域に亘って延在し、かつこれら第１凸部２１ａと第１凹部２１ｂとが該幅方向に直交する方向に沿って互いに隣接する態様で交互に形成されて構成されている。
【００２５】
第２シート体３０は、例えば樹脂材等により形成されるものであり、第１シート体２０を覆うのに必要十分な大きさを有している。かかる第２シート体３０の表面、すなわち第１シート体２０の表面を臨む面の全域には、第２凹凸部３１が形成されている。
【００２６】
第２凹凸部３１は、第２凸部３１ａと第２凹部３１ｂとを有しており、これら第２凸部３１ａと第２凹部３１ｂとが第２シート体３０の幅方向の全域に亘って延在し、かつこれら第２凸部３１ａと第２凹部３１ｂとが該幅方向に直交する方向に沿って互いに隣接する態様で交互に形成されて構成されている。尚、この第２凹凸部３１は、後述するように第１凹凸部２１に適合する大きさを有している。
【００２７】
また、第２シート体３０は、取付部３２、係止部３３、中央部３４及び折曲部３５を有している。取付部３２は、第２シート体３０の幅方向に直交する方向の一端部を構成する部分であり、第１シート体２０の一端部に取り付けられている。
【００２８】
より詳細には、取付部３２における第２凹凸部３１の第２凸部３１ａが第１シート体２０の一端部における第１凹凸部２１の第１凹部２１ｂの空間に相対的に進入し、かつ第１凹凸部２１の第１凸部２１ａが第２凹部３１ｂの空間に相対的に進入した状態で、該取付部３２が例えば接着剤等により接着されて第１シート体２０の一端部に取り付けられている。
【００２９】
係止部３３は、第２シート体３０の幅方向に直交する方向の他端部を構成する部分であり、第１シート体２０に係止されるものである。より詳細には、係止部３３における第２凹凸部３１の第２凸部３１ａが第１シート体２０の第１凹凸部２１の第１凹部２１ｂの空間に相対的に進入し、かつ第１凹凸部２１の第１凸部２１ａが第２凹部３１ｂの空間に相対的に進入した状態で、該係止部３３が第１シート体２０に係止されている。
【００３０】
中央部３４は、取付部３２と係止部３３との間に設けられた部分である。折曲部３５は、本実施の形態１では３つ設けられており、第１折曲部３５ａ、第２折曲部３５ｂ及び第３折曲部３５ｃを有している。
【００３１】
第１折曲部３５ａは、取付部３２と中央部３４との間に設けられている。この第１折曲部３５ａは、取付部３２や中央部３４よりも例えば薄い樹脂等の柔軟性を有する部材により形成されたもので、少なくとも幅方向を軸として折曲可能なものである。
【００３２】
第２折曲部３５ｂは、係止部３３と中央部３４との間に設けられている。この第２折曲部３５ｂは、係止部３３や中央部３４よりも例えば薄い樹脂等の柔軟性を有する部材により形成されたもので、少なくとも幅方向を軸として折曲可能なものである。
【００３３】
第３折曲部３５ｃは、中央部３４を該第２シート体３０の幅方向に直交する方向に２分割することが可能な部分、すなわち中央部３４における中央部分に設けられている。この第３折曲部３５ｃは、中央部３４よりも例えば薄い樹脂等の柔軟性を有する部材により形成されたもので、少なくとも幅方向を軸として折曲可能なものである。
【００３４】
このような構成のスタンド装置１０においては、図１に示したように、第２シート体３０が、折曲部３５で折り曲げられていない場合には、第１シート体２０と同様に平板状態となり、第１シート体２０の表面を被覆する。このとき、係止部３３における第２凹凸部３１の第２凸部３１ａが第１シート体２０の第１凹凸部２１の第１凹部２１ｂの空間に相対的に進入し、かつ該第１凹凸部２１の第１凸部２１ａが第２凹部３１ｂの空間に相対的に進入した状態で、該係止部３３が第１シート体２０の他端部に係止されている。また、中央部３４における第２凹凸部３１の第２凸部３１ａが第１シート体２０の第１凹凸部２１の第１凹部２１ｂの空間に相対的に進入し、かつ該第１凹凸部２１の第１凸部２１ａが第２凹部３１ｂの空間に相対的に進入した状態で、該中央部３４が第１シート体２０に係止されている。
【００３５】
そして、第２シート体３０は、係止部３３及び中央部３４が第１シート体２０から一旦離脱させられて折曲部３５（第１折曲部３５ａ、第２折曲部３５ｂ及び第３折曲部３５ｃ）で折り曲げられて係止部３３が第１シート体２０に係止されることにより、図２に示したように屈曲状態となる。
【００３６】
かかる屈曲状態において、第２シート体３０は、図３に拡大して示すように、中央部３４が第１シート体２０から離脱しつつ、係止部３３における第２凹凸部３１の第２凸部３１ａが第１シート体２０の第１凹凸部２１の第１凹部２１ｂの空間に相対的に進入し、かつ該第１凹凸部２１の第１凸部２１ａが第２凹部３１ｂの空間に相対的に進入した状態で、該係止部３３が第１シート体２０の所定部位に係止されている。
【００３７】
このようにスタンド装置１０が屈曲状態となることにより、図４に示すように、第３折曲部３５ｃとタブレット型ＰＣ１の一端部が設置面４０に載置されることにより、該タブレット型ＰＣ１を起立姿勢に保持することができる。
【００３８】
以上説明した本発明の実施の形態１であるスタンド装置１０においては、第１シート体２０の第１凹凸部２１と、第２シート体３０の係止部３３の第２凹凸部３１とが、本発明の係止手段を構成している。
【００３９】
そして、本実施の形態１であるスタンド装置１０によれば、第１シート体２０が、タブレット型ＰＣ１の筐体の背面１ａに装着され、該第１シート体２０に取付部３２が取り付けられた第２シート体３０が、係止部３３が係止手段を介して第１シート体２０に着脱可能に係止され、かつ折曲部３５で折り曲げられた屈曲状態となる場合に該タブレット型ＰＣ１を起立姿勢にさせるので、従来のようにタブレット型ＰＣの筐体の側面も覆うことがない。そのため、該側面に設けられる外部入力端子等を覆ってしまうことがなく、タブレット型ＰＣ１に対して文字等の入力を容易にさせるキーボード等の入力機器を接続することが可能である。従って、タブレット型ＰＣ１に入力機器が接続されることを許容しながら該タブレット型ＰＣ１を起立姿勢に保持することができる。
【００４０】
また、本発明の実施の形態１である電子機器１００によれば、上記スタンド装置１０を備えているので、タブレット型ＰＣ１に入力機器が接続されることを許容しながら該タブレット型ＰＣ１を起立姿勢に保持することができる。
【００４１】
上記スタンド装置１０によれば、第１シート体２０の表面の全域に第１凹凸部２１が形成されているので、第２シート体３０の係止部３３を第１シート体２０の幅方向に直交する方向に沿って無段階に係止させることができるので、タブレット型ＰＣ１の起立姿勢を無段階に調整することができる。
【００４２】
上記スタンド装置１０によれば、第１シート体２０がタブレット型ＰＣ１の筐体における背面１ａの略全域を覆う態様で装着されているので、第１凹凸部２１が第１シート体２０の表面の全域に形成されていることと相俟って第１シート体２０がクッション材としての機能を発揮し、タブレット型ＰＣ１の保護部材としても用いることができる。
【００４３】
＜実施の形態２＞
図５は、本発明の実施の形態２であるスタンド装置が適用された電子機器、すなわち本発明の実施の形態２である電子機器を模式的に示す説明図である。
【００４４】
ここで例示するスタンド装置５０は、タブレット型パーソナルコンピュータ（以下、タブレット型ＰＣともいう）２とともに電子機器１０１を構成するものである。
【００４５】
タブレット型ＰＣ２は、タッチパネル式の液晶表示部からなるディスプレイを筐体の表面に備える携帯用情報機器である。このタブレット型ＰＣ２は、筐体の内部に基板、演算装置、メモリ、バッテリ等を収納した構成とされている。かかるタブレット型ＰＣ２には入力機器３が接続されている。
【００４６】
入力機器３は、操作入力部３ａを備えており、タブレット型ＰＣ２に対する入力手段となる機器である。操作入力部３ａは、表面に複数のキーが配列されて構成されたキーボード部等を有している。
【００４７】
スタンド装置５０は、第１シート体６０及び第２シート体７０を備えて構成されている。第１シート体６０は、例えば樹脂材等により形成された平板状物である。この第１シート体６０は、タブレット型ＰＣ２の筐体の背面２ａの略全域を覆う態様で該背面２ａに装着されている。
【００４８】
かかる第１シート体６０の表面、すなわちタブレット型ＰＣ２の背面２ａを臨む面と反対側の面の全域には、第１凹凸部６１が形成されている。
【００４９】
第１凹凸部６１は、第１凸部６１ａと第１凹部６１ｂとを有しており、これら第１凸部６１ａと第１凹部６１ｂとが第１シート体６０の幅方向の全域に亘って延在し、かつこれら第１凸部６１ａと第１凹部６１ｂとが該幅方向に直交する方向に沿って互いに隣接する態様で交互に形成されて構成されている。
【００５０】
第２シート体７０は、例えば樹脂材等により形成されるものであり、入力機器３の筐体の背面３ｂの略全域を覆うのに十分な大きさを有している。かかる第２シート体７０の表面、すなわち入力機器３の筐体の背面３ｂを臨む面と反対側の面の全域には、第２凹凸部７１が形成されている。
【００５１】
第２凹凸部７１は、第２凸部７１ａと第２凹部７１ｂとを有しており、これら第２凸部７１ａと第２凹部７１ｂとが第２シート体７０の幅方向の全域に亘って延在し、かつこれら第２凸部７１ａと第２凹部７１ｂとが該幅方向に直交する方向に沿って互いに隣接する態様で交互に形成されて構成されている。尚、この第２凹凸部７１は、後述するように第１凹凸部６１に適合する大きさを有している。
【００５２】
また、第２シート体７０は、取付部７２、係止部７３、中央部７４及び折曲部７５を有している。取付部７２は、第２シート体７０の幅方向に直交する方向の一端部を構成する部分であり、入力機器３の筐体の背面３ｂに接着剤等により接着されて取り付けられている。
【００５３】
係止部７３は、第２シート体７０の幅方向に直交する方向の他端部を構成する部分であり、第１シート体６０に係止可能なものである。より詳細には、係止部７３における第２凹凸部７１の第２凸部７１ａが第１シート体６０の第１凹凸部６１の第１凹部６１ｂの空間に相対的に進入し、かつ第１凹凸部６１の第１凸部６１ａが第２凹部７１ｂの空間に相対的に進入した状態で、該係止部７３が第１シート体６０に係止可能である。
【００５４】
中央部７４は、取付部７２と係止部７３との間に設けられた部分である。折曲部７５は、本実施の形態２では３つ設けられており、第１折曲部７５ａ、第２折曲部７５ｂ及び第３折曲部７５ｃを有している。
【００５５】
第１折曲部７５ａは、取付部７２と中央部７４との間に設けられている。この第１折曲部７５ａは、取付部７２や中央部７４よりも例えば薄い樹脂等の柔軟性を有する部材により形成されたもので、少なくとも幅方向を軸として折曲可能なものである。
【００５６】
第２折曲部７５ｂは、係止部７３と中央部７４との間に設けられている。この第２折曲部７５ｂは、係止部７３や中央部７４よりも例えば薄い樹脂等の柔軟性を有する部材により形成されたもので、少なくとも幅方向を軸として折曲可能なものである。
【００５７】
第３折曲部７５ｃは、中央部７４を該第２シート体７０の幅方向に直交する方向に２分割することが可能な部分、すなわち中央部７４における中央部分に設けられている。この第３折曲部７５ｃは、中央部７４よりも例えば薄い樹脂等の柔軟性を有する部材により形成されたもので、少なくとも幅方向を軸として折曲可能なものである。
【００５８】
このような構成のスタンド装置５０においては、図５に示したように、第２シート体７０が、折曲部７５で折り曲げられていない場合には、第１シート体６０と同様に平板状態となり、入力機器３の筐体の背面３ｂを被覆する。
【００５９】
そして、第２シート体７０は、第１折曲部７５ａで折り曲げられると、図６に示すように、取付部７２と中央部７４の一部とが係止された状態となる。より詳細には、取付部７２における第２凹凸部７１の第２凸部７１ａが中央部７４の対向する部分の第２凹凸部７１の第２凹部７１ｂの空間に相対的に進入し、かつ該対向する部分の第２凹凸部７１の第２凸部７１ａが取付部７２における第２凹部７１ｂの空間に相対的に進入した状態で、該取付部７２が中央部７４の一部に係止される。
【００６０】
その後、第２シート体７０は、第２折曲部７５ｂ及び第３折曲部７５ｃで折り曲げられて係止部７３が第１シート体６０に係止されることにより、図７に示したように屈曲状態となる。かかる屈曲状態において、第２シート体７０は、係止部７３における第２凹凸部７１の第２凸部７１ａが第１シート体６０の第１凹凸部６１の第１凹部６１ｂの空間に相対的に進入し、かつ該第１凹凸部６１の第１凸部６１ａが第２凹部７１ｂの空間に相対的に進入した状態で、該係止部７３が第１シート体６０の所定部位に係止されている。
【００６１】
このようにスタンド装置５０が屈曲状態となることにより、該タブレット型ＰＣ２を起立姿勢に保持することができる。
【００６２】
以上説明した本発明の実施の形態２であるスタンド装置５０においては、第１シート体６０の第１凹凸部６１と、第２シート体７０の係止部７３の第２凹凸部７１とが、本発明の係止手段を構成している。
【００６３】
そして、本実施の形態２であるスタンド装置５０によれば、第１シート体６０が、タブレット型ＰＣ２の背面２ａに装着され、該タブレット型ＰＣ２に接続された入力機器３の背面３ｂに取付部７２が取り付けられた第２シート体７０が、係止部７３が係止手段を介して第１シート体６０に着脱可能に係止され、かつ折曲部７５で折り曲げられた屈曲状態となる場合に該タブレット型ＰＣ２を起立姿勢にさせるので、従来のようにタブレット型ＰＣの筐体の側面も覆うことがない。そのため、該側面に設けられる外部入力端子等を覆ってしまうことがなく、タブレット型ＰＣ２に対して入力機器３を接続することが可能である。従って、タブレット型ＰＣ２に入力機器３が接続されることを許容しながら該タブレット型ＰＣ２を起立姿勢に保持することができる。
【００６４】
また、本発明の実施の形態２である電子機器１０１によれば、上記スタンド装置５０を備えているので、タブレット型ＰＣ２に入力機器３が接続されることを許容しながら該タブレット型ＰＣ２を起立姿勢に保持することができる。
【００６５】
上記スタンド装置５０によれば、第１シート体６０の表面の全域に第１凹凸部６１が形成されているので、第２シート体７０の係止部７３を第１シート体６０の幅方向に直交する方向に沿って無段階に係止させることができるので、タブレット型ＰＣ２の起立姿勢を無段階に調整することができる。
【００６６】
上記スタンド装置５０によれば、第１シート体６０がタブレット型ＰＣ２の筐体における背面２ａの略全域を覆う態様で装着されているので、第１凹凸部６１が第１シート体６０の表面の全域に形成されていることと相俟って第１シート体６０がクッション材としての機能を発揮し、タブレット型ＰＣ２の保護部材としても用いることができる。
【００６７】
以上、本発明の好適な実施の形態１及び実施の形態２について説明したが、本発明はこれに限定されるものではなく、種々の変更を行うことができる。
【００６８】
上述した実施の形態１及び実施の形態２では、第２シート体３０，７０の係止部３３，７３が第１シート体２０，６０に係止手段を介して係止していたが、本発明においては、係止部３３，７３には、図２及び図７に示すように、幅方向に沿って磁石９１が内蔵されており、第１シート体２０，６０には、幅方向に直交する方向に沿って磁性体９２が内蔵されていてもよい。
【００６９】
このような構成によれば、係止部３３，７３と第１シート体２０，６０との係止を磁力により強固なものとすることができ、携帯用情報機器の起立姿勢の保持をより確実なものとすることができる。
【００７０】
上述した実施の形態１及び実施の形態２では、係止手段を構成する第２凹凸部３１，７１が第２シート体３０，７０の全域に設けられていたが、本発明においては、第２凹凸部が係止部にだけ設けられていてもよい。また、係止手段を構成する第１凹凸部及び第２凹凸部は、第１シート体及び第２シート体の幅方向の全域に亘って凸部及び凹部が形成されている必要はない。
【００７１】
上述した実施の形態１及び実施の形態２では、タブレット型ＰＣ１，２を携帯用情報機器の一例として説明したが、本発明においては、タブレット型ＰＣだけに限られずスマートフォン等を用いてもよい。
【符号の説明】
【００７２】
１  タブレット型ＰＣ（携帯用情報機器）
１ａ  背面
１０  スタンド装置
２０  第１シート体
２１  第１凹凸部
２１ａ  第１凸部
２１ｂ  第１凹部
３０  第２シート体
３１  第２凹凸部
３１ａ  第２凸部
３１ｂ  第２凹部
３２  取付部
３３  係止部
３４  中央部
３５  折曲部
１００  電子機器
【図１】
2018028601.tif 000003
【図２】
2018028601.tif 000004
【図３】
2018028601.tif 000005
【図４】
2018028601.tif 000006
【図５】
2018028601.tif 000007
【図６】
2018028601.tif 000008
【図７】
2018028601.tif 000009